(57)【要約】      （修正有）【課題】足場用筋交を支柱に容易に取り付けることができ、極めて簡単な操作で取り外すことができる足場用筋交連結構造を提供する。【解決手段】足場用筋交連結構造は、筋交ロッド２の端部を挿入可能な筋交連結パイプ３を傾斜して設けた左右二枚のプレート金具と、該金具先端部に垂設した係合差込片と、該金具に揺動自在に連結したブラケット挟持片と、該金具の基部間に架設したくさび規制片と、該金具の間とくさび規制片とブラケット挟持片との間に形成したくさび挿入空間と、該空間に挿入したくさび片６と、くさび片６の引抜き用孔１０と、より本体金具Ｈを構成し、引抜き用孔１０の内径上端縁１９とプレート金具の上端縁２０との間の空間は、しの工具Ｘが挿入可能な大きさに形成し、くさび片６の上片解除のために、しの工具Ｘによりプレート金具の肉厚部と引抜き用孔１０の内径上端縁１９とに係合して行うてこ作用を有効に発揮可能な関係にそれらを構成する。【選択図】図７
2016160586.tif 000002
【特許請求の範囲】
【請求項１】
筋交ロッドの端部を挿入可能な筋交連結パイプを傾斜して設けた左右二枚のプレート金具と、
該金具先端部に垂設した係合差込片と、
係合差込片の係合において該金具に揺動自在に連結したブラケット挟持片と、
左右二枚のプレート金具の基部間に架設したくさび規制片と、
左右二枚のプレート金具の間とくさび規制片とブラケット挟持片との間に形成したくさび挿入空間と、
くさび挿入空間に差し込み自在に挿入したくさび片と、
くさび片の上部に穿設した引抜き用孔と、より本体金具を構成し、
引抜き用孔の内径上端縁とプレート金具の上端縁との間の空間はしの工具が挿入可能な大きさに形成し、
しかも、左右二枚のプレート金具の少なくとも一枚の金具の上端縁の位置と、
引抜き用孔の内径上端縁の位置と、
引抜き用孔に面したプレート金具の肉厚とは、
くさび片の上片解除のために、引抜き用孔に挿入したしの工具により
プレート金具の肉厚部と引抜き用孔の内径上端縁とに係合して行うてこ作用を有効に発揮可能な関係に構成してなることを特徴とする足場用筋交連結構造。
【請求項２】
前記くさび片は、下方に先端先鋭の頂点側を所定長さ切欠して形成し、
前記引抜き用孔は、前記くさび片の仮想頂点から起算して前記くさび片の上部側に円または楕円の中心位置が次式（１）により決定される位置に形成されたものであることを特徴とする請求項１に記載の足場用筋交連結構造。
（Ｄ−ｄ）／ｔａｎα＋ｂ≦Ｌ≦Ｄ／ｔａｎα＋ｂ    ・・・（１）
ここで、Ｄはブラケット挟持片が係合差込片側に最も近接した際のくさび規制片からブラケット挟持片までの内側距離、ｂはくさび規制片の中心からプレート金具の上端縁までの距離、ｄはブラケット挟持片の左右側の可動範囲、Ｌはくさび片の仮想頂点から引抜き用孔の円または楕円の中心までの距離、αはくさび片の仮想頂点の角度である。
【請求項３】
前記プレート金具の上端縁の肉厚は、前記くさび片の肉厚の略半分から略同肉厚に形成してなることを特徴とする請求項１又は２に記載の足場用筋交連結構造。
【発明の詳細な説明】
【技術分野】
【０００１】
本発明は、支柱に配設されたコの字状のコマ間に、くさび止めにより足場板や手摺を連結しながら組上げられるくさび緊結式足場に用いられる足場用筋交連結構造に関するものである。
【背景技術】
【０００２】
格子状に連結した縦横複数のパイプ材で構成されたくさび緊結式足場において支柱間に足場用筋交を傾斜して固定する際、従来の足場用筋交の両端部には、支柱に設けたコマの側板を挟持して係合する差し込み片と、揺動自在のコマ係止片と、を備えると共に、上方から挿入し側方からコマ係止片に押圧作用するくさび片を一体に備えた本体金具を連結、または挿抜自在に構成したものが用いられている（例えば、特許文献１参照）。
【先行技術文献】
【特許文献】
【０００３】
【特許文献１】特開平１０−３７４５５号公報
【発明の概要】
【発明が解決しようとする課題】
【０００４】
特許文献１に係る足場用筋交は、ネジ等を用いることなくくさび片の抜き差しだけで足場用筋交を傾斜させて固定できると共に、横方向及び上下方向に力が付与されても本体金具がコマから外れる心配がなく、更に、本体金具は部品点数が少ないシンプルな構造のため一定の効果を奏していた。
【０００５】
しかしながら、くさび片をコマ係止片の側方から強固に押圧するためには、ハンマー等でくさび片の上端部を下方に向けて打ち込む必要があり、そのため本体金具に対するくさび片の係合も非常に強いものとなっていた。従って、くさび片を本体金具から抜去するには、ハンマー等でくさび片の下端部を上方に向けて強打し係合を解除する必要があった。
【０００６】
ところが、本体金具の下方近傍に足場板や手摺等が位置する箇所は、ハンマー等によりくさび片の下端部を上方に向けて強打するだけでのストロークを確保できないためくさび片を抜去できず、該箇所の本体金具をそのままとして全体を分解した後に改めてくさび片を抜去するしかなかった。
【０００７】
この発明は、足場用筋交を支柱に容易に取り付けることができると共に、極めて簡単な操作で取り外すことができる足場用筋交連結構造を提供することにある。
【課題を解決するための手段】
【０００８】
以上のような目的を達成するために、本発明は以下のようなものを提供する。
【０００９】
請求項１に係る発明では、筋交ロッドの端部を挿入可能な筋交連結パイプを傾斜して設けた左右二枚のプレート金具と、該金具先端部に垂設した係合差込片と、係合差込片の係合において該金具に揺動自在に連結したブラケット挟持片と、左右二枚のプレート金具の基部間に架設したくさび規制片と、左右二枚のプレート金具の間とくさび規制片とブラケット挟持片との間に形成したくさび挿入空間と、くさび挿入空間に差し込み自在に挿入したくさび片と、くさび片の上部に穿設した引抜き用孔と、より本体金具を構成し、引抜き用孔の内径上端縁とプレート金具の上端縁との間の空間はしの工具が挿入可能な大きさに形成し、しかも、左右二枚のプレート金具の少なくとも一枚の金具の上端縁の位置と、引抜き用孔の内径上端縁の位置と、引抜き用孔に面したプレート金具の肉厚とは、くさび片の上片解除のために、引抜き用孔に挿入したしの工具によりプレート金具の肉厚部と引抜き用孔の内径上端縁とに係合して行うてこ作用を有効に発揮可能な関係に構成してなることを特徴とする足場用筋交連結構造を提供せんとする。
【００１０】
請求項２に係る発明では、前記くさび片は、下方に先端先鋭の頂点側を所定長さ切欠して形成し、前記引抜き用孔は、前記くさび片の仮想頂点から起算して前記くさび片の上部側に円または楕円の中心位置が次式（１）により決定される位置に形成されたものであることを特徴とする請求項１に記載の足場用筋交連結構造を提供せんとする。
（Ｄ−ｄ）／ｔａｎα＋ｂ≦Ｌ≦Ｄ／ｔａｎα＋ｂ    ・・・（１）
ここで、Ｄはブラケット挟持片が係合差込片側に最も近接した際のくさび規制片からブラケット挟持片までの内側距離、ｂはくさび規制片の中心からプレート金具の上端縁までの距離、ｄはブラケット挟持片の左右側の可動範囲、Ｌはくさび片の仮想頂点から引抜き用孔の円または楕円の中心までの距離、αはくさび片の仮想頂点の角度である。
【００１１】
請求項３に係る発明では、前記プレート金具の上端縁の肉厚は、前記くさび片の肉厚の略半分から同等に形成してなることを特徴とする請求項１又は２に記載の足場用筋交連結構造を提供せんとする。
【発明の効果】
【００１２】
請求項１記載の発明によれば、くさび片の上部に穿設した引抜き用孔の内径上端縁とプレート金具の上端縁との間の空間にしの工具を挿入することができ、プレート金具の肉厚部と引抜き用孔の内径上端縁とにしの工具を係合しててこ作用を有効に発揮することができるので、しの工具で簡単にくさび片を上方に移動でき、足場用筋交を支柱から容易に取り外すことができる。
【００１３】
また、ハンマー等により、くさび片の下端部を上方に向けて強打するだけでのストロークを確保できない箇所に本体金具が位置していても、しの工具でくさび片の係合を容易に解除できるので、本体金具の配設箇所に関わらず足場の分解をスムーズに行うことができる。
【００１４】
請求項２記載の発明によれば、くさび片に穿設された引抜き用孔は、式（１）で決定される範囲に円または楕円の中心が位置するため、全範囲に渡る長孔とすればブラケット挟持片の可動範囲に関わらず、常にプレート金具の上端縁と引抜き用孔の内径上端縁との間にしの工具を挿入できる空間が生じるので、１つの本体金具で多種類の支柱に対応することができる。
【００１５】
また、使用する支柱の種類が限られている場合には、式（１）で決定される範囲の中から支柱に合致した引抜き用孔の中心位置を選択することで、しの工具の操作時に最適なてこ作用を発揮させることができる。
【００１６】
請求項３記載の発明によれば、プレート金具の上端縁の肉厚をくさび片の肉厚の略半分から略同肉厚に形成しているので、本体金具の重量を抑えつつ強度的にも充分な状態でしの工具によるてこ作用を発揮させることができる。
【図面の簡単な説明】
【００１７】
【図１】本発明の実施形態に係る足場用筋交連結構造を用いた足場の説明図である。
【図２】同足場用筋交連結構造の正面図である。
【図３】同足場用筋交連結構造の拡大斜視図である。
【図４】同足場用筋交連結構造の拡大正面図である。
【図５】同足場用筋交連結構造の拡大正面図である。
【図６】しの工具を示す説明図である。
【図７】しの工具でくさび片の上片解除を行う様子を説明する斜視図である。
【図８】ブラケット挟持片の可動範囲と引抜き用孔の関係を説明する簡略図である。
【図９】ブラケット挟持片の可動範囲と引抜き用孔の関係を説明する簡略図である。
【発明を実施するための形態】
【００１８】
本発明に係る足場用筋交連結構造の要旨は、筋交ロッドの端部を挿入可能な筋交連結パイプを傾斜して設けた左右二枚のプレート金具と、該金具先端部に垂設した係合差込片と、係合差込片の係合において該金具に揺動自在に連結したブラケット挟持片と、左右二枚のプレート金具の基部間に架設したくさび規制片と、左右二枚のプレート金具の間とくさび規制片とブラケット挟持片との間に形成したくさび挿入空間と、くさび挿入空間に差し込み自在に挿入したくさび片と、くさび片の上部に穿設した引抜き用孔と、より本体金具を構成し、引抜き用孔の内径上端縁とプレート金具の上端縁との間の空間はしの工具が挿入可能な大きさに形成し、しかも、左右二枚のプレート金具の少なくとも一枚の金具の上端縁の位置と、引抜き用孔の内径上端縁の位置と、引抜き用孔に面したプレート金具の肉厚とは、くさび片の上片解除のために、引抜き用孔に挿入したしの工具によりプレート金具の肉厚部と引抜き用孔の内径上端縁とに係合して行うてこ作用を有効に発揮可能な関係に構成してなることを特徴とする。すなわち、足場用筋交を支柱に容易に取り付けることができると共に、しの工具を用いて極めて簡単な操作で取り外すことができる足場用筋交連結構造の提供を図ろうとするものである。
【００１９】
以下、本発明に係る足場用筋交連結構造の実施形態について図面を参照しながら説明する。また、本説明中において左右同一又は左右対称の構造や部品については、原則として同一の符号を付し、左右何れか一方のみを説明して、他方については説明を適宜省略する。
【００２０】
[実施形態]
まず、本発明に係る足場用筋交連結構造１が用いられる足場Ａの一例を、図１に示して説明する。
【００２１】
足場Ａは、手摺Ｔや足場板ａ、筋交１等の連結をくさびを用いて行うくさび緊結式足場Ａである。具体的には、足場Ａの骨組みはパイプ状の支柱Ｓを中心として構成され、支柱Ｓは下端部に支柱Ｓの高さを調整自在とするジャッキベースＪを連結すると共にジャッキベースＪの下端部と地面Ｇとの間に矩形板状の敷板Ｂを載置している。また、支柱Ｓの外側面には、複数のコ字状のコマＫを所定間隔として鉛直方向が開口するように接合している。
【００２２】
手摺Ｔは、パイプ状で両端部にフック（図示せず）を形成し、所定間隔で隣接する支柱Ｓの各コマＫに上方からフックを挿入することで支柱Ｓが各々連結される。このように、手摺Ｔは手摺としての機能以外に足場Ａの強度を確保するための重要な部材となるため、複数の手摺Ｔが支柱Ｓ間に架設される。
【００２３】
足場板ａは、平面視矩形板状に形成し、裏面側には、板面が略水平となるように形成された傾斜連結材Ｒを備えている。足場板ａの長手方向の両端側部には支柱Ｓに形成されたコマＫと係合するフック（図示せず）を形成している。傾斜連結材Ｒは、板面の両端部において各々隣接する短辺側角部の一方を基部とし、他方の角部の下方側の支柱ＳのコマＫに向けて傾斜して配設され、傾斜連結材Ｒの先端部にはコマＫと係合するフック（図示せず）を形成している。
【００２４】
このように形成された足場板ａは、所定間隔で隣接する支柱ＳのコマＫに上方からフックを挿入することで支柱Ｓ間に横架される。従って、複数の足場板ａを同じ高さで支柱Ｓ間に横架することで、作業場や通路としての機能を備えた足場Ａとすることができる。また、傾斜連結材Ｒにより、足場板ａに充分な強度を付加することができる。
【００２５】
なお、足場Ａの角部を構成する足場板ａ１は、平面視台形状に形成することで角部を構成する２つの足場板ａ１，ａ１が重なることなく近接して配置されると共に、角部側の傾斜連結材Ｒの基部を、支柱Ｓから離れた側の板面の長辺側裏面に形成することで、角部で対峙する互いの傾斜連結材Ｒ，Ｒの緩衝を避けることができる。
【００２６】
筋交１は、足場の強度、特に捩れ方向の強度を確保するために支柱Ｓ間に傾斜して連結される。筋交１は図２に示すように、パイプ状の筋交ロッド２と筋交ロッド２の両端部に挿入される筋交連結パイプ３を備えた本体金具Ｈとで後述する足場用筋交連結構造１を構成している。本体金具Ｈは主として、支柱ＳのコマＫに上方から挿入可能な係合差込片４と、コマＫの側板Ｋ１を係合差込片４とで挟持するブラケット挟持片５と、ブラケット挟持片５を側部から押圧作用させるくさび片６とで構成されている。
【００２７】
以上のように本実施形態に係る足場は、支柱Ｓに形成されたコマＫに、手摺Ｔや足場板ａ、筋交１に形成されたフック（くさび）を挿入係合して一体となるように構成されている。
【００２８】
次に、本発明の要旨である足場用筋交連結構造１について詳述する。
【００２９】
足場用筋交連結構造１は、図２、図３に示すように、筋交ロッド２の端部を挿入可能な筋交連結パイプ３を傾斜して設けた左右二枚のプレート金具７，７と、該金具７先端部に垂設した係合差込片４と、係合差込片４の係合において該金具７に揺動自在に連結したブラケット挟持片５と、左右二枚のプレート金具７，７の基部間に架設した上下のくさび規制片８Ｕ，８Ｌと、左右二枚のプレート金具７，７の間と上くさび規制片８Ｕとブラケット挟持片５との間に形成したくさび挿入空間９と、くさび挿入空間９に差し込み自在に挿入したくさび片６と、くさび片６の上部に穿設した引抜き用孔１０と、より本体金具Ｈを構成している。
【００３０】
具体的には、係合差込片４は、支柱Ｓに形成されたコマＫに挿入した際、コマＫの下開口部から突出する所定長さで先端先鋭に形成すると共に、左右２枚のプレート金具７，７の外側縁部を略全長に渡り各々の端面が対向するように内側に折曲してリブ１１，１１を形成している。また、各プレート金具７，７には、プレス加工によりプレート金具７，７の上縁部と平行で係合差込片４側に略直角に屈曲する凸条１２，１２を形成している。
【００３１】
ブラケット挟持片５は、矩形板状に形成すると共に、先端部には係合差込片４側に屈曲する係止フック部１３を形成している。また、上部には係合差込片４側に向けて上方に略４５°傾斜させた長孔１４を穿設している。長孔１４には、各プレート金具７，７間に架け渡した軸支ピン１５を外挿し、軸支ピン１５が長孔１４の下部に位置すればブラケット挟持片５は係合差込片４に近接し、上部に位置すれば係合差込片４から離反するように揺動する。すなわち、ブラケット挟持片５の可動範囲は、支柱Ｓに形成されたコマＫの側板Ｋ１の肉厚に柔軟に対応できるような範囲で揺動する。
【００３２】
なお、軸支ピン１５は、ブラケット挟持片５の上部側に位置するプレート金具７，７の下側縁を下方に膨出して形成した湾曲片１６，１６間に軸支している。
【００３３】
上くさび規制片８Ｕは、ブラケット挟持片５との間にくさび片６を挿入可能にすると共に、くさび片６が抜けることなくくさび片６の上部が所定長さだけプレート金具７の上端縁２０から突出するような位置として、各プレート金具７，７の上部側の基部間に架設している。
【００３４】
下くさび規制片８Ｌは、ブラケット挟持片５との間にくさび片６を挿入可能にすると共に、くさび片６をブラケット挟持片５側に案内するような位置として、各プレート金具７，７の下部側の基部間に架設している。
【００３５】
すなわち、くさび片６は、ブラケット挟持片５と上下くさび規制片８Ｕ，８Ｌとで動きが規制され、結果としてブラケット挟持片５の揺動を略固定させることができる。
【００３６】
また、くさび片６が挿入される各プレート金具７，７とブラケット挟持片５と上下くさび規制片８Ｕ，８Ｌとで形成される空間をくさび挿入空間９としている。
【００３７】
本体金具Ｈの基部側２２となる後端角部には、筋交ロッド２の端部を挿入可能な筋交連結パイプ３を配設自在に構成している。具体的には、上下２箇所の角部において、各プレート金具７，７が離反する側にプレート金具７を拡開して挿入部２３を形成し、挿入部２３に筋交連結パイプ３を挿入して各プレート金具７，７と溶接固定している。
【００３８】
また、筋交連結パイプ３は、円筒状のパイプを偏平状に形成し、筋交ロッド２の端部を挿入することができ、本体金具Ｈに対して上下各４５°のいずれかの方向に筋交ロッド２を連結できるように構成している。すなわち、筋交連結パイプ３をプレート金具７の上側の角部（挿入部２３）に配設した本体金具Ｈであれば、筋交ロッド２の下端部と連結し、筋交ロッド２を斜め４５°上方に向けた角度で固定するものとなり（図２における下側の本体金具Ｈ）、逆に、プレート金具７の下側の角部（挿入部２３）に配設した本体金具Ｈであれば、筋交ロッド２の上端部と連結し、筋交ロッド２を斜め４５°下方に向けた角度で固定するものとなる（図２における上側の本体金具Ｈ）。
【００３９】
くさび片６は、図３に示すように、長尺の板状で下方に先端先鋭の頂点側を所定長さ切欠して形成している。すなわち、くさび片６の上部が幅広で下部を幅狭として、くさび挿入空間９に差込自在に構成している。また、くさび片６の下部の一側面には抜け止め突起１７を形成し、くさび片６を上方に引上げた際に、抜け止め突起１７が障害となりプレート金具７，７の下縁部と当接することで、くさび片６が本体金具Ｈから抜去できないように構成している。
【００４０】
また、上下くさび規制片８Ｕ，８Ｌ間の中途部に位置する各プレート金具７，７、すなわち、下くさび規制片８Ｌの上部側のプレート金具７は、基部側２２に湾曲凹形状とした突起逃し部１８を形成している。突起逃し部１８は、図４に示すように、くさび片６を基部側２２と反対側に傾斜させ、くさび片６の先端部を２枚のプレート金具７，７の間、すなわち、上下くさび片８Ｕ，８Ｌの間に挿入させることで、抜け止め突起１７が障害となり突起逃し部１８の外側縁部と当接し、くさび片６が上下くさび片８Ｕ，８Ｌの間から抜け落ちることなく傾斜したまま維持される。
【００４１】
傾斜したくさび片６は、ブラケット挟持片５の上端角部に付勢して、ブラケット挟持片５の下端側を基部側に移動させる。従って、係合差込片４とブラケット挟持片５とで形成される外観は下方拡開状となり、係合差込片４を上方からコマＫに挿入しやすくなる。
【００４２】
また、係合差込片４をコマＫに挿入した後は、傾斜したくさび片６を略垂直に移動させることでブラケット挟持片５の傾斜も解除され、この状態でくさび片６を下方へ押し込めば、くさび片６がブラケット挟持片５を側部から押圧してブラケット挟持片５をコマＫの側板Ｋ１側に付勢させることができる。
【００４３】
なお、突起逃し部１８の形状は、図５に示すように上述した本体金具Ｈの湾曲凹形状を小さく形成した突起逃し部１８´としてもよい。このように形成することで、本体金具Ｈ´の強度を向上させることができる。
【００４４】
また、くさび片６の上部には引抜き用孔１０を穿設している。引抜き用孔１０の内径上端縁１９とプレート金具７の上端縁２０との間の空間は、しの工具Ｘが挿入可能な大きさに形成している。しかも、左右二枚のプレート金具７，７の少なくとも一枚の金具の上端縁２０の位置と、引抜き用孔１０の内径上端縁１９の位置と、引抜き用孔１０に面したプレート金具７の肉厚とは、くさび片６の上片解除のために、引抜き用孔１０に挿入したしの工具Ｘによりプレート金具７の肉厚部と引抜き用孔１０の内径上端縁１９とに係合して行うてこ作用を有効に発揮可能な関係に構成している。
【００４５】
ここで、図６は、しの工具Ｘを示している。しの工具Ｘは棒状で一方の端部側を先端先鋭に形成すると共に中途部を若干だけ屈曲し、ボルト孔の位置合わせや番線（金属の細線）を締め付ける際に用いられるしの部Ｘａと、他方の端部側にはボルトやナットを着脱自在に締結可能なラチェット部Ｘｂを備えている。このように、しの工具Ｘは、足場Ａを組み立てる際に複数の作業を行うことができ利便性が高いことから、足場Ａを組み立てる作業者は常に携帯しながら作業を行っている。
【００４６】
また、図７は、くさび片６に形成された引抜き用孔１０にしの工具Ｘを挿入し、引抜き用孔１０の内径上端縁１９を作用点、プレート金具７の上端縁２０を支点とし、ラチェット部Ｘｂを力点として下方へ押圧し、てこ作用によりくさび片６の係合を解除する様子を示している。
【００４７】
このように、てこ作用の支点となるプレート金具７の上端縁２０の肉厚は、引抜き用孔１０の内径上端縁１９の肉厚や位置との関係でしの工具Ｘが確実に当接し、しかも強度的にも充分であることが必要であるため、本実施形態に係る足場用筋交連結構造１では、プレート金具７の上端縁２０の肉厚を、くさび片６の肉厚の略半分から略同肉厚に形成している。
【００４８】
また、支柱Ｓに形成されたコマＫの側板Ｋ１の肉厚によってブラケット挟持片５の左右位置が決まり、連動してくさび片６の上下位置も変動する。従って、引抜き用孔１０の穿設位置は、コマＫの側板Ｋ１の肉厚を考慮しておかなければならない。
【００４９】
ここで、図８はブラケット挟持片５が係合差込片４側に最も近設した位置、すなわち、側板Ｋ１の肉厚が薄いコマＫに本体金具Ｈを取り付けた状態を示し、図９はブラケット挟持片５が係合差込片４側から最も離反した位置、すなわち、側板Ｋ１の肉厚が厚いコマＫに本体金具Ｈを取り付けた状態を示している。
【００５０】
図８、図９において、Ｄはブラケット挟持片５が係合差込片４側に最も近接した際の上くさび規制片８Ｕからブラケット挟持片５までの内側距離を示し、ｂは上くさび規制片８Ｕの中心からプレート金具７の上端縁２０までの距離を示し、ｄはブラケット挟持片５の左右側の可動範囲を示し、Ｌ（Ｌ１，Ｌ２）はくさび片６の仮想頂点２１から引抜き用孔１０の円または楕円の中心までの距離（プレート金具７の上端縁２０までの距離）を示し、αはくさび片６の仮想頂点２１の角度を示している。
【００５１】
従って、図８では、Ｌ１はＤ／ｔａｎα＋ｂとなり、図９では、Ｌ２は（Ｄ−ｄ）／ｔａｎα＋ｂとなるため、くさび片６の仮想頂点２１から引抜き用孔１０の円または楕円の中心までの距離Ｌは次式（１）により決定される位置範囲に形成されることになる。
（Ｄ−ｄ）／ｔａｎα＋ｂ≦Ｌ≦Ｄ／ｔａｎα＋ｂ・・・・（１）
【００５２】
以上より、ブラケット挟持片５の左右側の可動範囲を全て網羅する引抜き用孔１０を形成する場合は、式（１）の範囲に楕円の中心が位置すること、すなわち図８、図９に示すような楕円を穿設して引抜き用孔１０を形成する。
【００５３】
なお、厳密には図９における楕円の下側中心は、Ｌよりも上方に位置することになるが、本説明中においては、近似したものとして説明を省略する。
【００５４】
以上、説明したように本実施形態に係る足場用筋交連結構造１は構成しており、くさび片６の上部に穿設した引抜き用孔１０の内径上端縁１９とプレート金具７の上端縁２０との間の空間にしの工具Ｘを挿入することができ、プレート金具７の肉厚部と引抜き用孔１０の内径上端縁１９とにしの工具Ｘを係合しててこ作用を有効に発揮することができるので、しの工具Ｘで簡単にくさび片６を上方に移動でき、本体金具Ｈや筋交ロッド２を支柱から容易に取り外すことができる。
【００５５】
また、ハンマー等により、くさび片６の下端部を上方に向けて強打するだけのストロークを確保できない箇所に本体金具Ｈが位置していても、しの工具Ｘでくさび片６の係合を容易に解除できるので、本体金具Ｈの配設箇所に関わらず足場Ａの分解をスムーズに行うことができる。
【００５６】
また、くさび片６に穿設された引抜き用孔１０は、式（１）で決定される範囲に円または楕円の中心が位置するため、全範囲に渡る長孔とすればブラケット挟持片５の可動範囲に関わらず、すなわちコマＫの側板Ｋ１の肉厚に関わらず、常にプレート金具７の上端縁２０と引抜き用孔１０の内径上端縁１９との間にしの工具Ｘを挿入できる空間が生じるので、１つの本体金具ＨでコマＫの側板Ｋ１の肉厚が異なる多種類の支柱Ｓに対応することができる。
【００５７】
また、使用する支柱Ｓの種類（側板Ｋ１の肉厚）が限られている場合には、式（１）で決定される範囲内で支柱Ｓに合致した引抜き用孔１０の中心位置を選択することで、しの工具Ｘの操作時に最適なてこ作用を発揮させることができる。
【００５８】
また、プレート金具７の上端縁２０の肉厚をくさび片６の肉厚の略半分から略同肉厚に形成しているので、本体金具Ｈの重量を抑えつつ強度的にも充分な状態でしの工具Ｘによるてこ作用を発揮させることができる。
【００５９】
以上、本発明の好ましい実施形態を説明したが、本発明は係る特定の実施形態に限定されるものではなく、特許請求の範囲に記載された本発明の要旨の範囲内において、種々の変形・変更が可能である。
【符号の説明】
【００６０】
Ｘ  しの工具
１  足場用筋交連結構造
２  筋交ロッド
３  筋交連結パイプ
４  係合差込片
５  ブラケット挟持片
６  くさび片
７  プレート金具
８Ｕ  上くさび規制片
８Ｌ  下くさび規制片
９  くさび挿入空間
１０  引抜き用孔
１９  内径上端縁
２０  プレート金具の上端縁
【図１】
2016160586.tif 000003
【図２】
2016160586.tif 000004
【図３】
2016160586.tif 000005
【図４】
2016160586.tif 000006
【図５】
2016160586.tif 000007
【図６】
2016160586.tif 000008
【図７】
2016160586.tif 000009
【図８】
2016160586.tif 000010
【図９】
2016160586.tif 000011